(57)【特許請求の範囲】
【請求項１】
金属製の機器ケースと、
前記機器ケースの裏側に配置された金属製の裏蓋部材と、
前記機器ケース内部に配置され、時計モジュールを構成するモータを含む部品を収納するハウジングと、
前記ハウジングの内部に配置され、コアを備えるアンテナ構造体と、
前記コアの端部と磁気的に結合され、前記ハウジングの外周に配置され、外部からの電波の磁束を集めるシート状の集磁部材と、
を備えていることを特徴とする電波受信装置。
【請求項２】
前記ハウジングの表側に配置された文字板をさらに備え、
前記集磁部材は、前記ハウジングと前記文字板との間に配置されたことを特徴とする請求項１に記載の電波受信装置。
【請求項３】
前記ハウジングの表側面の中央に設けられた前記時計モジュールを構成する部品を固定する磁性材料で形成された押さえ板をさらに備え、
前記集磁部材は、前記コアの各端部と磁気的に結合された一端から他端にかけて次第に幅が広くなる一対の形状とし、前記押さえ板を挟んで対象位置に配置されたことを特徴とする請求項２に記載の電波受信装置。
【請求項４】
前記機器ケースと前記アンテナ構造体との間の空間及び前記裏蓋部材と前記アンテナ構造体との間の空間の少なくとも一方の空間に配置され渦電流の発生を抑制する磁性部材をさらに備えたことを特徴とする請求項１〜３のいずれか一項に記載の電波受信装置。
【請求項５】
前記機器ケース及び裏蓋部材の少なくとも一方は、体積抵抗率の高い値の材料からなることを特徴とする請求項１〜４のいずれか一項に記載の電波受信装置。
【請求項６】
前記機器ケース及び裏蓋部材の少なくとも一方は、体積抵抗率及び透磁率の高い材料からなることを特徴とする請求項１〜４のいずれか一項に記載の電波受信装置。
【請求項７】
前記機器ケース及び裏蓋部材の少なくとも一方は、ＪＩＳ６０種チタン合金からなることを特徴とする請求項５又は請求項６に記載の電波受信装置。
【発明の詳細な説明】
【技術分野】
【０００１】
本発明は、電波受信装置に関する。
【背景技術】
【０００２】
従来、時刻情報を含む標準電波を受信して自動的に現在時刻を修正する電波時計等の電子機器が知られている。そして、例えば電波時計において標準電波を受信するアンテナとしては、受信感度のよい磁性材料であるアモルファス金属やフェライト等からなるコアにコイルが巻回されてなるアンテナ構造体が多く用いられている。
【０００３】
しかし、電波は金属を透過しないため、腕時計等において、機器ケース、裏蓋部材等を金属で形成した場合には、電子機器に内蔵されたアンテナが十分に電波を受信することができない。
【０００４】
そこで、従来、文字板等の装飾板を、電波が透過する材料で形成するとともに、コアの端部に電波を受信する膨出部を設け、装飾板側から効率的に電波を受信することで受信感度を向上させる技術が開発されている（例えば、特許文献１参照）。
【特許文献１】特開２００６−３３３１８３号公報
【発明の開示】
【発明が解決しようとする課題】
【０００５】
しかしながら、膨出部を設けるとその分アンテナ構造体が大きくならざるを得ず、特に、女性用の腕時計型の電波時計等、できるだけ小型化・薄型化を図る必要がある場合に、アンテナ構造体を収納する十分なスペースを確保することが困難であるとの問題があった。
【０００６】
また、機器ケース、裏蓋部材、文字板等に金属を使用している場合に、これらの金属部材とアンテナ構造体とが近接していると、いわゆる渦電流が発生し、これに起因してアンテナ構造体による標準電波の受信感度が劣化するが、装置の小型化を図るためには金属部材とアンテナ構造体との間に十分な距離を確保することが困難であるとの問題もある。
【０００７】
そこで、本発明は、上記課題を解決するために為されたものであり、アンテナ構造体の近傍に金属製の部材がある場合にも、アンテナ及びこれを組み込んだ装置の小型化と受信感度の向上とを両立させることのできる電波受信装置を提供することを目的としている。
【課題を解決するための手段】
【０００８】
このような問題を解決するため、請求項１に記載の発明は、
金属製の機器ケースと、
前記機器ケースの裏側に配置された金属製の裏蓋部材と、
前記機器ケース内部に配置され、時計モジュールを構成するモータを含む部品を収納するハウジングと、
前記ハウジングの内部に配置され、コアを備えるアンテナ構造体と、
前記コアの端部と磁気的に結合され、前記ハウジングの外周に配置され、外部からの電波の磁束を集めるシート状の集磁部材と、
を備えていることを特徴としている。
請求項２に記載の発明は、請求項１に記載の電波受信装置において、
前記ハウジングの表側に配置された文字板をさらに備え、
前記集磁部材は、前記ハウジングと前記文字板との間に配置されたことを特徴としている。
請求項３に記載の発明は、請求項２に記載の電波受信装置において、
前記ハウジングの表側面の中央に設けられた前記時計モジュールを構成する部品を固定する磁性材料で形成された押さえ板をさらに備え、
前記集磁部材は、前記コアの各端部と磁気的に結合された一端から他端にかけて次第に幅が広くなる一対の形状とし、前記押さえ板を挟んで対象位置に配置されたことを特徴としている。
請求項４に記載の発明は、請求項１〜３のいずれか一項に記載の電波受信装置において、
前記機器ケースと前記アンテナ構造体との間の空間及び前記裏蓋部材と前記アンテナ構造体との間の空間の少なくとも一方の空間に配置され渦電流の発生を抑制する磁性部材をさらに備えたことを特徴としている。
【０００９】
請求項５に記載の発明は、請求項１〜４のいずれか一項に記載の電波受信装置において、
前記機器ケース及び裏蓋部材の少なくとも一方は、体積抵抗率の高い値の材料からなることを特徴としている。
【００１０】
請求項６に記載の発明は、請求項１〜４のいずれか一項に記載の電波受信装置において、
前記機器ケース及び裏蓋部材の少なくとも一方は、体積抵抗率及び透磁率の高い材料からなることを特徴としている。
【００１１】
請求項７に記載の発明は、請求項５又は請求項６に記載の電波受信装置において、
前記機器ケース及び裏蓋部材の少なくとも一方は、ＪＩＳ６０種チタン合金からなることを特徴としている。
【発明の効果】
【００１２】
本発明によれば、集磁シートの分だけアンテナ構造体のアンテナ長を伸ばすことができ、また、磁性シートによって渦電流の発生を防止することができるので、アンテナ構造体が収納される機器ケース及び裏蓋部材が金属性である場合でも、アンテナ構造体を大型化することなく効率的に電波を捕らえることができ、モジュールサイズの小型化、及び受信感度の向上を図ることができるとの効果を奏する。
【発明を実施するための最良の形態】
【００１３】
以下、図面を参照して、本発明の好適な実施形態について説明する。なお、以下では、本発明に係る電波受信装置を、腕時計型の電波時計に適用した場合について説明するが、本発明を適用可能な実施形態がこれに限定されるものではない。
【００１４】
［第１の実施形態］
先ず、図１から図８を参照しつつ、本発明に係る電波受信装置及びこれを備える電波腕時計の第１の実施形態について説明する。
【００１５】
図１は、本実施形態における電波腕時計１００の正面図である。電波腕時計１００は、標準電波を受信するアンテナ構造体１５（図２から図４参照）を備え、このアンテナ構造体１５により受信した標準電波を増幅変調してタイムコードを解読することにより現在時刻を修正する電波腕時計である。
【００１６】
第１の実施形態における電波腕時計１００は、内部に図示しない時計モジュールを構成する各部品を収納するモジュールハウジング（図２から図４参照。以下単に「ハウジング」と称する。）３と、ハウジング３が収納された時計ケース２とを備えている。
【００１７】
機器ケースとしての時計ケース２は、ＪＩＳ６０種チタン合金（例えばTi-6Al-4V合金（いわゆる６-４合金）等）によって、上下面に開口した平面視ほぼ円環状に形成されている。ＪＩＳ６０種チタン合金は、高強度のチタン合金であり、透磁率が高く、体積抵抗率も高い値の金属である。なお、時計ケース２内に設けられるアンテナ構造体１５の受信感度の劣化を防ぐためには、時計ケース２を形成する材料の透磁率が１に近いほど好ましく、また、体積抵抗率の値が高いほど後述する渦電流による損失が少なくなるため好ましい。
【００１８】
図５は、ＪＩＳ６０種チタン合金（例としてTi-6Al-4V合金）の特性について、ＳＵＳ（ステンレス、例えばＳＵＳ304）との比較を示した表である。
図５に示すように、ＳＵＳ304の体積抵抗率は０．７２μΩｍであるのに対して、Ti-6Al-4V合金の体積抵抗率は１．７１μΩｍであり、Ti-6Al-4V合金の方がＳＵＳ304よりも体積抵抗率の値が高い。また、ＳＵＳ304の透磁率は１．００４であるのに対して、Ti-6Al-4V合金の透磁率は１．００００５であり、Ti-6Al-4V合金の方がＳＵＳ304よりも透磁率がより１に近い。このため、時計ケース２をTi-6Al-4V合金で形成した方がＳＵＳ304で形成した場合に比べてアンテナ構造体１５の受信感度の劣化防止に資するといえる。
【００１９】
時計ケース２の図１における上下両端部、つまり当該電波腕時計１００における１２時方向側端部及び６時方向側端部には、電波腕時計１００をユーザの腕に装着するための時計バンド５が取り付けられている。また、時計ケース２の外周部には、時刻合わせの指示などの種々の操作指示が入力される複数の操作ボタンｆ１が設けられている。
【００２０】
図２は、図１のII−II線断面図である。
時計ケース２の視認側には、視認側の開口部を閉塞するように時計ガラス４がパッキン１１ａを介して装着されている。また、裏面側（視認側に対向する側）には、裏面側の開口部を閉塞するように裏蓋部材３３がＯリング１１ｂを介して取り付けられている。
本実施形態では、裏蓋部材３３は、時計ケース２と同様に、ＪＩＳ６０種チタン合金によって形成されている。
【００２１】
時計ケース２内に収納されるハウジング３は、例えば樹脂等で形成されており、ハウジング３には、例えば、時針や秒針等の指針６を文字板７上で運針させるためのアナログ指針機構３８等を動作させるためモータＭ、及びその他各種電子部品等で構成されている時計モジュール（図示せず）が収納されている。
【００２２】
ハウジング３と時計ガラス４との間には、ほぼ円形の薄板状に形成された文字板７が配置されている。文字板７の表面(視認側：図２の上側)の周縁部は、時字部８となっており、時字部８には、時字９が、円周方向にほぼ等間隔で１２箇所に刻印、印刷、植字等により設けられている。
【００２３】
図１に示すように、文字板７の６時寄りの位置には、開口部７ａが形成されており、その奥側には、時刻等を表示する液晶パネル１０が配置されている。これにより、電波腕時計１００を正面から見た場合に、文字板７の開口部７ａを介して液晶パネル１０に表示された時刻等が視認されるようになっている。
【００２４】
また、図２に示すように、文字板７とハウジング３との間には、文字板７とほぼ同様の大きさに形成された薄板状のソーラーセル１２が配置されている。
【００２５】
文字板７及びソーラーセル１２の中央部には軸孔１３が形成されており、軸孔１３には、時計モジュールのアナログ指針機構３８に設けられた指針軸１４がソーラーセル１２の裏面側（図２の下側）から時計ガラス４の方向（図２の上側）に向けて貫通している。指針軸１４には、時針や分針等の指針６が取り付けられている。指針６は、前述のアナログ指針機構３８によって文字板７の上方で運針するようになっており、この指針６によって文字板７上の時字９が指示されることによって、現在の時刻を知ることができるようになっている。
【００２６】
ハウジング３の内側であってハウジング３を時計ケース２内に収納したときに１２時側に配置される位置には、アンテナ構造体１５が収納される収納スペース１６が形成されている。
【００２７】
前記ハウジング３の収納スペース１６に収納されるアンテナ構造体１５は、コア１７と、このコア１７に巻回されるコイル１８とから構成されている。
コア１７は、アモルファス金属等の比透磁率が高く、導電率が小さい磁性材料からなる複数の板状部材を積層して形成されている。板状部材としては、アモルファス合金、Fe-Cu-Nb-Si-B系等のナノ結晶磁性合金、Fe-Si系磁性合金等の軟磁性金属箔帯を板厚20μｍ以下に薄く形成して用いているが、これに限られない。
図３及び図４に示すように、コア１７のほぼ中央部は、コイル１８が巻回されるコイル巻回部である幅狭の直状部１７ａとなっており、コア１７の両端部１７ｂは、この直状部１７ａに比べてコア１７の幅方向に大きく延出する形状に形成されている。各端部１７ｂは、一方側の端縁が時計ケース２の内周面に沿う形状に形成されており、アンテナ構造体１５を時計ケース２内に収納したときにアンテナ構造体１５が時計ケース２の内周面に沿って配置され、時計ケース２とアンテナ構造体１５との間の空間に必要以上の隙間が生じないようになっている。
【００２８】
また、時計ケース２内には、時計モジュールを構成する電子部品が接続されるとともに各種回路を有するＩＣチップが実装される回路基板（図示せず）が配置されている。
回路基板の図示しない接続端子には、アンテナ構造体１５のコイル１８の端部が接続されている。
【００２９】
ＩＣチップが有する回路要素としては、例えば、電波腕時計１００の各部を制御するＣＰＵ１０１（図７参照）等の制御ＩＣ、後述するアンテナ構造体１５によって検出された電気信号を増幅・復調して標準電波に含まれる時刻データを取り出す受信制御回路部６００（図７参照）、現在時刻を計時する計時回路部７００（図７参照）等がある。
【００３０】
図２から図４を参照しつつ、本実施形態におけるハウジング３の構成について詳細に説明する。ここで、図３は、文字板７及びソーラーセル１２を外した場合のハウジング３の上部を視認側から見た平面図であり、図４は、ハウジング３の要部構成を示す斜視図である。
【００３１】
図２から図４に示すように、ハウジング３の上部上のほぼ中央には、アナログ指針機構３８を構成する複数の歯車２４が設けられており、歯車２４は板状の歯車押え板２５によって固定されている。なお、この歯車押え板２５を比較的透磁率の低い磁性材料で形成し、モータＭが外部磁気の影響を受けることのないように外部磁気を遮蔽する耐磁板としての機能を有するようにしてもよい。
【００３２】
ハウジング３の上部上には、歯車押え板２５を間に挟んでほぼ対称位置に、一対の集磁シート３０が配置されている。集磁シート３０は、モータＭへの外部からの磁気を遮蔽するとともに外部からの電波の磁束を集める集磁部材として機能する。集磁シート３０は、例えば図示しない接着剤によりハウジング３の上部に固定されている。この接着剤は弾性を有するものであることが好ましい。
【００３３】
本実施形態において、集磁シート３０は、複数枚のアモルファスシートを積層して形成されており、その厚みは、歯車押え板２５の厚みと同じかそれよりも薄くなっている。例えば、歯車押え板２５の厚みが０．１５ｍｍ程度である場合に、集磁シート３０を薄さ３０μのアモルファスシートを３枚程度積層することによって形成する。このように、集磁シート３０の厚みを、歯車押え板２５の厚みと同じかそれよりも薄くすることによって、集磁シート３０を設けてもハウジング３の上部にもとから存在する段差の範囲内に収めることができ、集磁シート３０を設けたことによるハウジング３の厚みの増加が生じない。
集磁シート３０は、一端から他端にかけて次第に幅が広くなる形状となっており、幅の広い側の端部はハウジング３の外周に沿う形状となっている。
【００３４】
また、図３及び図４に示すように、ハウジング３の上部であって、収納スペース１６に収納されたアンテナ構造体１５のコア１７の両端部１７ｂに対応する位置には、集磁シート３０の幅の狭い側の端部３０ａを挿入する挿入孔２７がそれぞれ形成されている。集磁シート３０の端部３０ａは、この挿入孔２７からハウジング３の内部に挿入されるようになっている。
【００３５】
なお、集磁シート３０を形成する材料は比較的高い透磁率を有する磁性材料であればよく、アモルファスシートに限定されない。例えば、フェライト等の磁性材料により一体形成されたものであってもよい。また、集磁シート３０及び歯車押え板２５の大きさ、厚み、形状等は、ここに例示したものに限定されない。
【００３６】
アンテナ構造体１５は、弾性部材２８を介してハウジング３の収納スペース１６内に固定されている。弾性部材２８は、例えば弾性を有する接着剤である。なお、アンテナ構造体１５が弾性部材２８を介して収納スペース１６内に固定されていることは必須の構成要素ではなく、単に下方から他の部材によって押圧されることにより固定されるようになっていてもよい。
【００３７】
図６は、コア１７と集磁シート３０の端部３０ａとの接続部分を拡大した断面図である。図３及び図６に示すように、本実施形態においては、集磁シート３０の端部３０ａをコア１７の端部に向けて押圧する弾性部材３１が、上方から下方に向けて挿入孔２７に挿入されるようになっている。本実施形態において、弾性部材３１は、一対の集磁シート３０とコア１７の両端部１７ｂとを磁気的に結合させる接続手段である。
【００３８】
ハウジング３の収納スペース１６の一部であって２つの挿入孔２７に挟まれた部分は非磁性部３ａとなっており、この非磁性部３ａの存在により、コア１７の両端部１７ｂは、磁気的に分離されている。また、一対の集磁シート３０も互いに接触しないように磁気的に分離されている。
また、一対の集磁シート３０と歯車押え板２５の間には隙間が設けられており、集磁シート３０と歯車押え板２５も磁気的に分離されている。
【００３９】
時計ケース２の内壁であって、ハウジング３の収納スペース１６に対向する部分には、渦電流の発生を抑制する磁性部材としての磁性シート３５が設けられている。また、裏蓋部材３３の内側の面であって、ハウジング３の収納スペース１６に対向する部分にも、同様に磁性部材としての磁性シート３６が設けられている。
磁性シート３５，３６は、例えば、樹脂中に、アモルファス金属やフェライト等の磁性体粉末や、銅やアルミ等の金属粉末を分散・混合してシート状に形成したものであり、電波腕時計１００の時計ケース２や裏蓋部材３３の透磁率よりも高く、且つ導電率が小さい磁性部材である。このような磁性シート３５，３６を設けることにより、金属部材である時計ケース２とアンテナ構造体１５との間の空間及び裏蓋部材３３とアンテナ構造体１５との間の空間がそれぞれ磁性部材である磁性シート３５，３６によって隔てられている状態となっている。
【００４０】
時計ケース２や裏蓋部材３３が金属材料で形成されている場合には、これら金属製の時計ケース２や裏蓋部材３３によって発生する渦電流に起因して受信感度の劣化が生じる。
ここで渦電流とは、磁束の時間的変化によって導体内に発生する渦状の電流のことで、電波の受信状態においては、金属製の時計ケース２や裏蓋部材３３に発生した渦電流が熱損失となることにより受信感度の低下を引き起こすものである。このような渦電流の発生を抑えるためには、アンテナ構造体１５を金属製の時計ケース２や裏蓋部材３３からできるだけ遠ざけることが考えられるが、腕時計のように限られた空間内に多くの部品を組み込まなければならない場合においては、このような構成をとることは困難である。
【００４１】
この点、磁性部材である磁性シート３５，３６には外部磁界を遮断する効果があるため、磁性シート３５，３６を金属製の時計ケース２や裏蓋部材３３とアンテナ構造体１５との間の空間に設けることによって磁束が金属製の時計ケース２や裏蓋部材３３の内部に入り込むことを防止できる。すなわち、標準電波によってアンテナ構造体１５に生じる反磁界（磁束）は、磁性シート３５，３６に遮断されて時計ケース２や裏蓋部材３３を殆ど通過しない。このため、時計ケース２や裏蓋部材３３が金属材料で形成されている場合であっても、磁界が金属を通過することによる渦電流が殆ど生じず、近傍金属に起因するアンテナ構造体１５の受信効率の劣化（低下）を抑制することができる。
【００４２】
なお、本実施形態では、時計ケース２、裏蓋部材３３、アンテナ構造体１５、集磁シート３０、磁性シート３５，３６により電波受信装置１が構成されている。
【００４３】
図７は、電波腕時計１００の内部構成を示すブロック図である。同図によれば、電波腕時計１００は、ＣＰＵ１０１と、入力部２００と、表示部３００と、ＲＯＭ４００と、ＲＡＭ５００と、受信制御回路部６００と、計時回路部７００と、発振回路部７２０とを備えて構成されている。
【００４４】
ＣＰＵ１０１は、所定のタイミング或いは入力部２００から入力された操作信号に応じてＲＯＭ４００に格納されたプログラムを読み出してＲＡＭ５００に展開し、そのプログラムに基づいて電波腕時計１００を構成する各部への指示やデータの転送等を行う。具体的には、例えば、所定時間毎に受信制御回路部６００を制御して標準電波の受信を行わせ、この受信信号、及び発振器を備える発振回路部７２０から出力される信号に基づき計時回路部７００で計時される現在時刻データを修正する処理や、計時回路部７００によって計時された現在時刻を表示部３００に表示させる処理等を行う。
【００４５】
入力部２００は、電波腕時計１００の各種機能の実行を指示するための操作ボタンｆ１を含み、この操作ボタンｆ１が操作されると、対応する操作信号をＣＰＵ１０１に出力する。
表示部３００は、文字板７や、ＣＰＵ１０１によって制御されるアナログ指針機構３８等を含み、計時回路部７００によって計時された現在時刻を表示する。
【００４６】
ＲＯＭ４００は、電波腕時計１００にかかるシステムプログラムやアプリケーションプログラム、本実施形態を実現するためのプログラムやデータ等を記憶する。
ＲＡＭ５００は、ＣＰＵ１０１の作業領域として用いられ、ＲＯＭ４００から読み出されたプログラムやデータ、ＣＰＵ１０１で処理されたデータ等を一時的に記憶する。
【００４７】
受信制御回路部６００は、アンテナ構造体１５での受信信号から不要な周波数成分をカットして所定の周波数信号を取り出し、この周波数信号を対応する電気信号に変換してＣＰＵ１０１に出力する。
計時回路部７００は、発振回路部７２０から入力される信号を計数して現在時刻を計時し、現在時刻データをＣＰＵ１０１に出力する。
発振回路部７２０は、常時一定周波数のクロック信号を出力する回路である。
【００４８】
次に、本実施形態の作用について説明する。
【００４９】
ハウジング３の収納スペース１６にアンテナ構造体１５を収納し、コイル１８の端部を回路基板の接続端子に接続する。これにより回路基板上の受信回路部等とアンテナ構造体１５とが接続される。また、ハウジング３の上部に一対の集磁シート３０を配置して、各集磁シート３０の端部３０ａをハウジング３の上部に設けられた挿入孔２７に挿入し、その後この挿入孔２７に弾性部材３１を挿入して、集磁シート３０の端部３０ａを下方に押圧する。これにより、集磁シート３０の端部３０ａがアンテナ構造体１５のコア１７の端部１７ｂに接触し、両者は磁気的に結合される。そして、この集磁シート３０及びコア１７により標準電波の磁束を集め、集めた標準電波の磁束が、コア１７中を通過することとなって、その磁束の通過によってコイル１８に誘導起電力が生じる。この誘導起電力を検出することにより標準電波を受信する。
【００５０】
一方、アンテナ構造体１５が収納されている収納スペース１６と時計ケース２との間の空間には磁性シート３５が配置され、収納スペース１６と裏蓋部材３３との間の空間には磁性シート３６が配置されていることにより、渦電流の発生が抑制される。
【００５１】
そして、標準電波を受信すると、受信された電波が接続端子を介して回路基板上の受信回路部に送られ、この電波に基づいて時刻情報が取得され、電波腕時計１００の現在時刻データが修正される。
【００５２】
図８は、集磁シート３０、磁性シート３５，３６の有無及び時計ケース２、裏蓋部材３３を形成する材料と、アンテナ構造体１５による電波受信感度との関係を示した表である。図８において、感度の比較は、日本の電波発信局の一つであるＪＪＹ４０の標準電波を受信する場合における感度を例として測定した結果を示している。
図８中、組合せ例番号１は、時計ケース２及び裏蓋部材３３をステンレス（ＳＵＳ）で形成し、集磁シート３０を設けなかった場合であり、組合せ例番号２から４は、この組合せ例番号１の場合における電波受信感度を基準（０．０）としたときの各組み合わせにおける受信感度を示している。図８に示すように、時計ケース２及び裏蓋部材３３をステンレス（ＳＵＳ）で形成した場合でも集磁シート３０と磁性シート３５，３６とを設けた場合（組合せ例番号２）には受信感度が向上する。また、時計ケース２及び裏蓋部材３３をＪＩＳ６０種チタン合金（図８中、単に「チタン合金」と記載）で形成した場合には、磁性シート３５，３６のみを設け、集磁シート３０を設けなかった場合（組合せ例番号４）でも時計ケース２及び裏蓋部材３３をステンレス（ＳＵＳ）で形成した場合以上の感度を得ることができる。さらに、本実施形態における電波受信装置１のように、時計ケース２及び裏蓋部材３３をＪＩＳ６０種チタン合金で形成した上で集磁シート３０を設けた場合（組合せ例番号３）には最も受信感度が良好となることが分かった。
なお、図８中には示さなかったが、単に時計ケース２及び裏蓋部材３３をＪＩＳ６０種チタン合金で形成するだけでも渦電流の発生等を防止する効果が認められるので、時計ケース２及び裏蓋部材３３をＳＵＳで形成した場合と比較してアンテナ構造体１５の受信感度を向上させることができ、感度比較としては３．０程度の結果を得ることができる。
【００５３】
以上のように、本実施形態によれば、集磁シート３０を設け、ハウジング３の上部に配置された集磁シート３０を弾性部材３１により押圧することにより、ハウジング３の内部に配置されたアンテナ構造体１５のコア１７と接触させて磁気的に結合させるようになっている。これにより、集磁シート３０の分だけアンテナ構造体１５のアンテナ長を伸ばすことができるので、アンテナ構造体１５を狭いスペースに収めなければならない場合のように、コア１７を大きくすることができない場合でも、効率的に電波を捕らえることができ、受信感度を向上させつつモジュールサイズの小型化を実現できる。
また、時計ケース２及び裏蓋部材３３をＪＩＳ６０種チタン合金で形成するとともに、時計ケース２とアンテナ構造体１５との間の空間及び裏蓋部材３３とアンテナ構造体１５との間の空間にそれぞれ磁性シート３５，３６を配置することにより、渦電流の発生を抑制することができるので、時計ケース２及び裏蓋部材３３が金属製である場合でも、アンテナ構造体１５の受信感度の劣化を防止することができる。
【００５４】
また、接続手段としての弾性部材３１により集磁シート３０を押圧してコア１７に接触させるので、集磁シート３０とコア１７とを確実に接続させることができる。
【００５５】
さらに、本実施形態では、ハウジング３の上部には歯車押え板２５が配置され、この歯車押え板２５によってハウジング３の上部にもともと段差が生じているが、集磁シート３０は、この歯車押え板２５を真ん中に挟んで配置され、しかも歯車押え板２５の厚みよりも薄いものとなっているので、歯車押え板２５によって生じた段差の範囲内に集磁シート３０を配置することができる。このため、集磁シート３０を配置しても新たにハウジング３の厚みが増すことがなく、モジュールサイズを小型化しながら受信感度を向上させることができる。
【００５６】
なお、本発明が上記実施の形態に限らず適宜変更可能であるのは勿論である。
【００５７】
［第２の実施形態］
次に、図９を参照しつつ、本発明に係る電波受信装置の第２の実施形態について説明する。なお、第２の実施形態は、アンテナ構造体のコアと集磁シートとの結合構造のみが第１の実施形態と異なるものであるため、以下においては、特に第１の実施形態と異なる部分について説明する。
【００５８】
本実施形態において、電波受信装置は図示しない電波腕時計に組み込まれており、電波腕時計は、第１の実施形態と同様に、Ti-6Al-4V合金等のＪＩＳ６０種チタン合金で形成された時計ケース（図示せず）及び裏蓋部材（図示せず）と、図示しないアンテナ構造体が収納されたハウジング４０（図９参照）と、時計ケースとアンテナ構造体との間の空間及び裏蓋部材とアンテナ構造体との間の空間に配置された磁性シート（図示せず）とを備えている。
図９は、ハウジング４０の一部を拡大してアンテナ構造体（図示せず）のコア４１の端部と集磁シート４２の端部４２ａとの接続部分を示した断面図である。
【００５９】
ハウジング４０の上部であってコア４１の両端部に対応する部分には貫通孔４３が形成されている。ハウジング４０の上部には、第１の実施形態と同様、一対の集磁シート４２が配置されており、各集磁シート４２の一方の端部４２ａはハウジング４０の貫通孔４３の上に位置するようになっている。本実施形態において貫通孔４３の内部には、コア４１と集磁シート４２との間の空間に配置され、一端部がコア４１端部と接触する磁性部材４５が配置されている。磁性部材４５は、アモルファス金属、フェライト等の磁性材料により、貫通孔４３の高さ（すなわち、ハウジング４０の上部の厚み）よりも低い高さ寸法に形成されている。また、本実施形態では、集磁シート４２の端部４２ａを磁性部材４５に向けて押圧する弾性部材４６が、上方から下方に向けて貫通孔４３に挿入されるようになっている。本実施形態において、この弾性部材４６及び磁性部材４５は、一対の集磁シート４２とコア４１の両端部とを磁気的に結合させる接続手段である。
【００６０】
なお、その他の構成は、第１の実施形態で説明したものと同様であることから、同一部材には同一の符号を付して、その説明を省略する。
【００６１】
次に、本実施形態の作用について説明する。
【００６２】
ハウジング４０内の所定の収納スペース（図示せず）にアンテナ構造体を収納する。また、貫通孔４３の内部に磁性部材４５を配置する。そして、ハウジング４０の上部に、一対の集磁シート４２を配置し、各集磁シート４２の端部４２ａを貫通孔４３からハウジング４０内に挿入する。さらに、弾性部材４６を上方から下方に向けて貫通孔４３に挿入し、集磁シート４２を磁性部材４５に対して押圧する。これにより、弾性部材４６及び磁性部材４５を介して集磁シート４２の端部４２ａとアンテナ構造体のコア４１とが接触し、両者は磁気的に結合される。そして、この集磁シート４２及びコア４１により標準電波を受信すると、この電波に基づいて時刻情報が取得され、電波腕時計の現在時刻データが修正される。
【００６３】
以上のように、本実施形態によれば、ハウジング４０の上部に配置された集磁シート４２を弾性部材４６及び磁性部材４５を介してハウジング４０の内部に配置されたアンテナ構造体のコア４１の端部と接触させ、磁気的に結合させるようになっている。これにより、集磁シート４２の分だけアンテナ構造体のアンテナ長を伸ばすことができるので、アンテナ構造体を狭いスペースに収めなければならない場合のように、コア４１を大きくすることができない場合でも、効率的に電波を捕らえることができ、モジュールサイズの小型化を実現しつつ、受信感度の向上を図ることができる。
また、第１の実施形態と同様に、時計ケース及び裏蓋部材をＪＩＳ６０種チタン合金で形成するとともに、時計ケースとアンテナ構造体との間の空間及び裏蓋部材とアンテナ構造体との間の空間にそれぞれ磁性シートを配置しているので、渦電流の発生を防止して、良好な受信感度を維持することができる。
【００６４】
また、接続手段としての弾性部材４６により集磁シート４２を磁性部材４５に対して押圧してコア４１に接触させるので、集磁シート４２とコア４１とを確実に接続させることができる。
【００６５】
さらに、集磁シート４２とコア４１との間の空間に磁性部材４５を挟み込むことにより、受信感度をより向上させることができる。
【００６６】
なお、本発明が実施形態の範囲に限定されないことは第１の実施形態と同様である。
【００６７】
［第３の実施形態］
次に、図１０を参照しつつ、本発明にかかる電波受信装置の第３の実施形態について説明する。なお、第３の実施形態は、アンテナ構造体のコアと集磁シートとの結合構造のみが第１の実施形態及び第２の実施形態と異なるものであるため、以下においては、特に第１の実施形態及び第２の実施形態と異なる部分について説明する。
【００６８】
本実施形態において、電波受信装置は図示しない電波腕時計に組み込まれており、電波腕時計は、第１の実施形態及び第２の実施形態と同様に、Ti-6Al-4V合金等のＪＩＳ６０種チタン合金で形成された時計ケース（図示せず）及び裏蓋部材（図示せず）と、図示しないアンテナ構造体が収納されたハウジング４７（図１０参照）と、時計ケースとアンテナ構造体との間の空間及び裏蓋部材とアンテナ構造体との間の空間に配置された磁性シート（図示せず）とを備えている。
図１０は、ハウジング４７の一部を拡大してアンテナ構造体（図示せず）のコア４８の端部と集磁シート４９の端部４９ａとの接続部分を示した断面図である。
【００６９】
本実施形態において、コア４８の端部は、他の部分に比べて厚く形成された肉厚部４８ａとなっている。なお、肉厚部４８ａを形成する手法は特に限定されない。例えばコア４８が第１の実施形態と同様、アモルファス金属等の薄い板状部材を積層して形成されている場合には、コア４８の端部だけ積層する板状部材の枚数を多くすることにより肉厚部４８ａを形成してもよい。また、例えばコア４８がフェライト等により一体形成されている場合には、肉厚部４８ａを有するように成型する。また、肉厚部部分を別体で形成した後にコア４８の端部に結合させる手法によってもよい。
【００７０】
ハウジング４７の上部であってコア４８の肉厚部４８ａに対応する部分には肉厚部４８ａを挿入する挿入孔５０が形成されている。ハウジング４７の上部には、第１の実施形態及び第２の実施形態と同様、一対の集磁シート４９が配置されており、各集磁シート４９の一方の端部４９ａはハウジング４７の挿入孔５０の上に位置するようになっている。本実施形態において、肉厚部４８ａは、挿入孔５０の上に位置する集磁シート４９に当接する位置まで隆起しており、コア４８と集磁シート４９の端部４９ａとを接触させ磁気的に結合させる接続手段として機能する。
【００７１】
なお、その他の構成は、第１の実施形態及び第２の実施形態で説明したものと同様であることから、同一部材には同一の符号を付して、その説明を省略する。
【００７２】
次に、本実施形態の作用について説明する。
【００７３】
ハウジング４７内の所定の収納スペース（図示せず）にアンテナ構造体を収納する。このとき、コア４８の端部の肉厚部４８ａがハウジング４７の上部に設けられた挿入孔５０に挿入されるようにする。また、ハウジング４７の上部に、端部４９ａが挿入孔５０の上に位置するように一対の集磁シート４９を配置する。これにより、各集磁シート４９の端部４９ａがアンテナ構造体のコア４８の端部に形成された肉厚部４８ａに接触し、両者は磁気的に結合される。そして、この集磁シート４９及びコア４８により標準電波を受信すると、この電波に基づいて時刻情報が取得され、電波腕時計の現在時刻データが修正される。
【００７４】
以上のように、本実施形態によれば、ハウジング４７の上部に配置された集磁シート４９を、ハウジング４７の内部に配置されたアンテナ構造体のコア４８の端部と接触させて磁気的に結合させるようになっている。これにより、集磁シート４９の分だけアンテナ構造体のアンテナ長を伸ばすことができるので、アンテナ構造体を狭いスペースに収めなければならない場合のように、コア４８を大きくすることができない場合でも、効率的に電波を捕らえることができ、モジュールサイズの小型化を実現しつつ、受信感度の向上を図ることができる。
また、第１の実施形態及び第２の実施形態と同様に、時計ケース及び裏蓋部材をＪＩＳ６０種チタン合金で形成するとともに、時計ケースとアンテナ構造体との間の空間及び裏蓋部材とアンテナ構造体との間の空間にそれぞれ磁性シートを配置しているので、渦電流の発生を防止して、良好な受信感度を維持することができる。
【００７５】
また、コア４８の端部に形成された肉厚部４８ａが接続手段として機能し、この肉厚部４８ａと集磁シート４９の端部４９ａとを接触させことにより、コア４８と集磁シート４９とが磁気的に結合されるので、部品点数を増やすことなく受信感度の向上を図ることができる。
【００７６】
なお、本実施形態では、肉厚部４８ａが集磁シート４９に当接する位置まで隆起している場合を例としたが、例えば、第２の実施形態で示した磁性部材のように、集磁シート４９に当接しない厚みの肉厚部４８ａをコア４８に形成し、集磁シート４９の端部４９ａを挿入孔５０に挿入した上で、さらにその上方から弾性部材等で押圧する構成としてもよい。この場合には、肉厚部４８ａと弾性部材とにより接続部材が構成される。
【００７７】
なお、本発明が実施形態の範囲に限定されないことは第１の実施形態及び第２の実施形態と同様である。
【００７８】
［第４の実施形態］
次に、図１１を参照しつつ、本発明に係る電波受信装置の第４の実施形態について説明する。なお、第４の実施形態は、アンテナ構造体のコアと集磁シートとの結合構造のみが第１の実施形態から第３の実施形態と異なるものであるため、以下においては、特に第１の実施形態から第３の実施形態と異なる部分について説明する。
【００７９】
本実施形態において、電波受信装置は図示しない電波腕時計に組み込まれており、電波腕時計は、第１の実施形態から第３の実施形態と同様に、Ti-6Al-4V合金等のＪＩＳ６０種チタン合金で形成された時計ケース（図示せず）及び裏蓋部材（図示せず）と、図示しないアンテナ構造体が収納されたハウジング５２（図１１参照）と、時計ケースとアンテナ構造体との間の空間及び裏蓋部材とアンテナ構造体との間の空間に配置された磁性シート（図示せず）とを備えている。
図１１は、ハウジング５２の一部を拡大してアンテナ構造体（図示せず）のコア５３の端部と集磁シート５４の端部５４ａとの接続部分を示した断面図である。
【００８０】
ハウジング５２の上部であってコア５３の両端部に対応する部分には貫通孔５５が形成されている。ハウジング５２の上部には、第１の実施形態から第３の実施形態と同様、一対の集磁シート５４が配置されており、各集磁シート５４の一方の端部５４ａはハウジング５２の貫通孔５５の上に位置するようになっている。本実施形態において貫通孔５５の内部には、コア５３と集磁シート５４との間の空間に配置され、一端部がコア５３の端部と接触し、他端部が集磁シート５４の端部５４ａと接触するコイルばね５６が配置されている。コイルばね５６は圧縮コイルばねであり、ハウジング５２の上部に配置されている図示しない歯車押え板の上面の高さと同じかそれよりも低い位置で各集磁シート５４の端部５４ａと接するようになっている。なお、コイルばね５６は、磁性材料で形成されたばねであることが好ましい。
このコイルばね５６は、コア５３と集磁シート５４の端部５４ａとを接触させ磁気的に結合させる接続手段として機能する。
【００８１】
なお、その他の構成は、第１の実施形態から第３の実施形態で説明したものと同様であることから、同一部材には同一の符号を付して、その説明を省略する。
【００８２】
次に、本実施形態の作用について説明する。
【００８３】
ハウジング５２内の所定の収納スペース（図示せず）にアンテナ構造体を収納する。また、貫通孔５５の内部にコイルばね５６を配置する。そして、ハウジング５２の上部に、端部５４ａが挿入孔の上に位置するように一対の集磁シート５４を配置する。これにより、コイルばね５６の一端部に集磁シート５４の端部５４ａが接触し、コイルばね５６の他端部がアンテナ構造体のコア５３の端部に接触し、両者は磁気的に結合される。そして、この集磁シート５４及びコア５３により標準電波を受信すると、この電波に基づいて時刻情報が取得され、電波腕時計の現在時刻データが修正される。
【００８４】
以上のように、本実施形態によれば、ハウジング５２の上部に配置された集磁シート５４を、ハウジング５２の内部に配置されたアンテナ構造体のコア５３の端部と接触させて磁気的に結合させるようになっている。これにより、集磁シート５４の分だけアンテナ構造体のアンテナ長を伸ばすことができるので、アンテナ構造体を狭いスペースに収めなければならない場合のように、コア５３を大きくすることができない場合でも、効率的に電波を捕らえることができ、モジュールサイズの小型化を実現しつつ、受信感度の向上を図ることができる。
また、第１の実施形態から第３の実施形態と同様に、時計ケース及び裏蓋部材をＪＩＳ６０種チタン合金で形成するとともに、時計ケースとアンテナ構造体との間の空間及び裏蓋部材とアンテナ構造体との間の空間にそれぞれ磁性シートを配置しているので、渦電流の発生を防止して、良好な受信感度を維持することができる。
【００８５】
また、コイルばね５６を介して集磁シート５４とコア５３とを接続させるので、容易な構成で、集磁シート５４を変形させることなく安定した接続が可能となる。
【００８６】
なお、本発明が実施形態の範囲に限定されないことは第１の実施形態から第３の実施形態と同様である。
【００８７】
［第５の実施形態］
次に、図１２を参照しつつ、本発明にかかる電波受信装置の第５の実施形態について説明する。なお、第５の実施形態は、アンテナ構造体のコアと集磁シートとの結合構造のみが第１の実施形態から第４の実施形態と異なるものであるため、以下においては、特に第１の実施形態から第４の実施形態と異なる部分について説明する。
【００８８】
本実施形態において、電波受信装置は図示しない電波腕時計に組み込まれており、電波腕時計は、第１の実施形態から第４の実施形態と同様に、Ti-6Al-4V合金等のＪＩＳ６０種チタン合金で形成された時計ケース（図示せず）及び裏蓋部材（図示せず）と、図示しないアンテナ構造体が収納されたハウジング５８（図１２参照）と、時計ケースとアンテナ構造体との間の空間及び裏蓋部材とアンテナ構造体との間の空間に配置された磁性シート（図示せず）とを備えている。図１２は、ハウジング５８の一部を拡大してアンテナ構造体（図示せず）のコア５９の端部と集磁シート６０の端部６０ａとの接続部分を示した断面図である。
【００８９】
ハウジング５８の上部であってコア５９の両端部に対応する部分には貫通孔６１が形成されている。ハウジング５８の上部には、第１の実施形態から第４の実施形態と同様、一対の集磁シート６０が配置されており、各集磁シート６０の一方の端部６０ａはハウジング５８の貫通孔６１の上に位置するようになっている。本実施形態において貫通孔６１の内部には、コア５９と集磁シート６０との間の空間に配置され、一端部がコア５９の端部と接触し、他端部が集磁シート６０の端部６０ａと接触する弾性部材６２が配置されている。弾性部材６２は、貫通孔６１の高さ（すなわち、ハウジング５８の上部の厚み）とほぼ等しい高さ寸法に形成されている。
この弾性部材６２は、コア５９と集磁シート６０の端部６０ａとを接触させ磁気的に結合させる接続手段として機能する。
【００９０】
なお、その他の構成は、第１の実施形態から第４の実施形態で説明したものと同様であることから、同一部材には同一の符号を付して、その説明を省略する。
【００９１】
次に、本実施形態の作用について説明する。
【００９２】
ハウジング５８内の所定の収納スペース（図示せず）にアンテナ構造体を収納する。また、貫通孔６１の内部に弾性部材６２を配置する。そして、ハウジング５８の上部に、端部６０ａが貫通孔６１の上に位置するように一対の集磁シート６０を配置する。これにより、弾性部材６２の一端部に集磁シート６０の端部６０ａが接触し、弾性部材６２の他端部がアンテナ構造体のコア５９の端部に接触し、両者は磁気的に結合される。そして、この集磁シート６０及びコア５９により標準電波を受信すると、この電波に基づいて時刻情報が取得され、電波腕時計の現在時刻データが修正される。
【００９３】
以上のように、本実施形態によれば、ハウジング５８の上部に配置された集磁シート６０を、ハウジング５８の内部に配置されたアンテナ構造体のコア５９の端部と接触させて磁気的に結合させるようになっている。これにより、集磁シート６０の分だけアンテナ構造体のアンテナ長を伸ばすことができるので、アンテナ構造体を狭いスペースに収めなければならない場合のように、コア５９を大きくすることができない場合でも、効率的に電波を捕らえることができ、モジュールサイズの小型化を実現しつつ、受信感度の向上を図ることができる。
また、第１の実施形態から第４の実施形態と同様に、時計ケース及び裏蓋部材をＪＩＳ６０種チタン合金で形成するとともに、時計ケースとアンテナ構造体との間の空間及び裏蓋部材とアンテナ構造体との間の空間にそれぞれ磁性シートを配置しているので、渦電流の発生を防止して、良好な受信感度を維持することができる。
【００９４】
また、弾性部材６２を介して集磁シート６０とコア５９とを接続させるので、容易な構成で、広い接触面積において接触させることができるため、集磁シート６０を変形させることなく、より安定した接続が可能となる。
【００９５】
なお、本発明が実施形態の範囲に限定されないことは第１の実施形態から第４の実施形態と同様である。
【００９６】
［第６の実施形態］
次に、図１３を参照しつつ、本発明に係る電波受信装置の第６の実施形態について説明する。なお、第６の実施形態は、アンテナ構造体のコアと集磁シートとの結合構造のみが第１の実施形態から第５の実施形態と異なるものであるため、以下においては、特に第１の実施形態から第５の実施形態と異なる部分について説明する。
【００９７】
本実施形態において、電波受信装置は図示しない電波腕時計に組み込まれており、電波腕時計は、第１の実施形態から第５の実施形態と同様に、Ti-6Al-4V合金等のＪＩＳ６０種チタン合金で形成された時計ケース（図示せず）及び裏蓋部材（図示せず）と、図示しないアンテナ構造体が収納されたハウジング６５（図１３参照）と、時計ケースとアンテナ構造体との間の空間及び裏蓋部材とアンテナ構造体との間の空間に配置された磁性シート（図示せず）とを備えている。図１３は、ハウジング６５の一部を拡大してアンテナ構造体（図示せず）のコア６６の端部と集磁シート６７の端部６７ａとの接続部分を示した断面図である。
【００９８】
ハウジング６５の上部であってコア６６の両端部に対応する部分には挿入孔６８が形成されている。ハウジング６５の上部には、第１の実施形態から第５の実施形態と同様、
一対の集磁シート６７が配置されており、各集磁シート６７の一方の端部６７ａはハウジング６５の挿入孔６８に挿入されるようになっている。また、ハウジング６５内部の一部であって挿入孔６８の近傍には、コア６６との間の空間でシート挿入部６９を形成するとともに、挿入孔６８に挿入された集磁シート６７の一方の端部６７ａをシート挿入部６９に導くシート案内部６５ａが設けられている。シート案内部６５ａはハウジング６５内に一体的に形成されている。
本実施形態において、接続手段は、このシート案内部６５ａを含んで構成されており、集磁シート６７の一端部６７ａがシート案内部６５ａに案内されてシート挿入部６９に挿入され、シート案内部６５ａが端部６７ａの浮き上がりを規制することにより、コア６６と集磁シート６７の端部６７ａとが接触し磁気的に結合される。
【００９９】
なお、その他の構成は、第１の実施形態から第５の実施形態で説明したものと同様であることから、同一部材には同一の符号を付して、その説明を省略する。
【０１００】
次に、本実施形態の作用について説明する。
【０１０１】
ハウジング６５内の所定の収納スペース（図示せず）にアンテナ構造体を収納する。また、挿入孔６８に集磁シート６７の端部６７ａを挿入する。挿入孔６８からハウジング６５内に挿入された集磁シート６７の端部６７ａは、シート案内部６５ａに案内されてシート挿入部６９に挿入され、シート案内部６５ａにより集磁シート６７の端部６７ａの浮き上がりが規制されることにより、コア６６と集磁シート６７の端部６７ａとが接触し磁気的に結合される。そして、この集磁シート６７及びコア６６により標準電波を受信すると、この電波に基づいて時刻情報が取得され、電波腕時計の現在時刻データが修正される。
【０１０２】
以上のように、本実施形態によれば、ハウジング５８の上部に配置された集磁シート６７を、ハウジング６５の内部に配置されたアンテナ構造体のコア６６の端部と接触させて磁気的に結合させるようになっている。これにより、集磁シート６７の分だけアンテナ構造体のアンテナ長を伸ばすことができるので、アンテナ構造体を狭いスペースに収めなければならない場合のように、コア６６を大きくすることができない場合でも、効率的に電波を捕らえることができ、モジュールサイズの小型化を実現しつつ、受信感度の向上を図ることができる。
また、第１の実施形態から第５の実施形態と同様に、時計ケース及び裏蓋部材をＪＩＳ６０種チタン合金で形成するとともに、時計ケースとアンテナ構造体との間の空間及び裏蓋部材とアンテナ構造体との間の空間にそれぞれ磁性シートを配置しているので、渦電流の発生を防止して、良好な受信感度を維持することができる。
【０１０３】
また、本実施形態では、接続手段を構成するシート案内部６５ａはハウジング６５内に一体的に形成されているので、部品点数を増やすことなく受信感度の向上を図ることができる。
【０１０４】
なお、本発明が実施形態の範囲に限定されないことは第１の実施形態から第５の実施形態と同様である。
【０１０５】
［第７の実施形態］
次に、図１４を参照しつつ、本発明にかかる電波受信装置の第７の実施形態について説明する。なお、第７の実施形態は、アンテナ構造体のコアと集磁シートとの結合構造のみが第１の実施形態から第６の実施形態と異なるものであるため、以下においては、特に第１の実施形態から第６の実施形態と異なる部分について説明する。
【０１０６】
本実施形態において、電波受信装置は図示しない電波腕時計に組み込まれており、電波腕時計は、第１の実施形態から第６の実施形態と同様に、Ti-6Al-4V合金等のＪＩＳ６０種チタン合金で形成された時計ケース（図示せず）及び裏蓋部材（図示せず）と、図示しないアンテナ構造体が収納されたハウジング７１（図１４参照）と、時計ケースとアンテナ構造体との間の空間及び裏蓋部材とアンテナ構造体との間の空間に配置された磁性シート（図示せず）とを備えている。
図１４は、ハウジング７１の一部を拡大してアンテナ構造体（図示せず）のコア７２の端部と集磁シート７３の端部７３ａとの接続部分を示した断面図である。
【０１０７】
ハウジング７１の上部であってコア７２の両端部に対応する部分には挿入孔７４が形成されている。ハウジング７１の上部には、第１の実施形態から第６の実施形態と同様、一対の集磁シート７３が配置されており、各集磁シート７３の一方の端部７３ａはハウジング７１の挿入孔７４に挿入されるようになっている。また、本実施形態においては、コア７２の一部（一端部）に集磁シート７３の端部７３ａを挟み込む凹部７５が設けられている。挿入孔７４からハウジング７１内部に挿入された集磁シート７３の端部７３ａは、この凹部７５に挟み込まれるようになっており、本実施形態においては、凹部７５が、コア７２と集磁シート７３の端部７３ａとを接触させ磁気的に結合させる接続手段として機能する。
【０１０８】
なお、その他の構成は、第１の実施形態から第６の実施形態で説明したものと同様であることから、同一部材には同一の符号を付して、その説明を省略する。
【０１０９】
次に、本実施形態の作用について説明する。
【０１１０】
ハウジング７１内の所定の収納スペース（図示せず）にアンテナ構造体を収納する。また、挿入孔７４に集磁シート７３の端部７３ａを挿入する。挿入孔７４からハウジング７１内に挿入された集磁シート７３の端部７３ａは、コア７２の一部に形成された凹部７５に挟み込まれ、これによって、コア７２と集磁シート７３の端部７３ａとが接触し磁気的に結合される。そして、この集磁シート７３及びコア７２により標準電波を受信すると、この電波に基づいて時刻情報が取得され、電波腕時計の現在時刻データが修正される。
【０１１１】
以上のように、本実施形態によれば、ハウジング７１の上部に配置された集磁シート７３を、ハウジング７１の内部に配置されたアンテナ構造体のコア７２の端部と接触させて磁気的に結合させるようになっている。これにより、集磁シート７３の分だけアンテナ構造体のアンテナ長を伸ばすことができるので、アンテナ構造体を狭いスペースに収めなければならない場合のように、コア７２を大きくすることができない場合でも、効率的に電波を捕らえることができ、モジュールサイズの小型化を実現しつつ、受信感度の向上を図ることができる。
また、第１の実施形態から第６の実施形態と同様に、時計ケース及び裏蓋部材をＪＩＳ６０種チタン合金で形成するとともに、時計ケースとアンテナ構造体との間の空間及び裏蓋部材とアンテナ構造体との間の空間にそれぞれ磁性シートを配置しているので、渦電流の発生を防止して、良好な受信感度を維持することができる。
【０１１２】
また、本実施形態では、コア７２の一部に形成された凹部７５が接続手段として機能するので、確実に集磁シート７３をコア７２に接触させることができ、部品点数を増やすことなく受信感度の向上を図ることができる。
【０１１３】
なお、本発明が実施形態の範囲に限定されないことは第１の実施形態から第６の実施形態と同様である。
【０１１４】
［第８の実施形態］
次に、図１５を参照しつつ、本発明に係る電波受信装置の第８の実施形態について説明する。なお、第８の実施形態は、アンテナ構造体のコアと集磁シートとの結合構造のみが第１の実施形態から第７の実施形態と異なるものであるため、以下においては、特に第１の実施形態から第７の実施形態と異なる部分について説明する。
【０１１５】
本実施形態において、電波受信装置は図示しない電波腕時計に組み込まれており、電波腕時計は、第１の実施形態から第７の実施形態と同様に、Ti-6Al-4V合金等のＪＩＳ６０種チタン合金で形成された時計ケース（図示せず）及び裏蓋部材（図示せず）と、図示しないアンテナ構造体が収納されたハウジング７７（図１５参照）と、時計ケースとアンテナ構造体との間の空間及び裏蓋部材とアンテナ構造体との間の空間に配置された磁性シート（図示せず）とを備えている。図１５は、ハウジング７７の一部を拡大してアンテナ構造体（図示せず）のコア７８の端部と集磁シート７９の端部７９ａとの接続部分を示した断面図である。
【０１１６】
ハウジング７７の上部であってコア７８の両端部に対応する部分には挿入孔８０が形成されている。ハウジング７７の上部には、第１の実施形態から第７の実施形態と同様、一対の集磁シート７９が配置されており、各集磁シート７９の一方の端部７９ａはハウジング７７の挿入孔８０に挿入されるようになっている。また、本実施形態においては、コア７８の端部の上部であって挿入孔８０に対応する位置には、集磁シート７９の一端部７９ａをコア７８に接着する接着部材８１が設けられている。接着部材８１は、例えば磁性材料を含む両面接着テープであることが好ましいが、集磁シート７９の端部７９ａをコア７８に接着可能なものであればよく、特に限定されない。本実施形態においては、集磁シート７９の端部７９ａが接着部材８１を介してコア７８と接触し磁気的に結合するようになっており、接着部材８１が接続手段として機能する。
【０１１７】
なお、その他の構成は、第１の実施形態から第７の実施形態で説明したものと同様であることから、同一部材には同一の符号を付して、その説明を省略する。
【０１１８】
次に、本実施形態の作用について説明する。
【０１１９】
ハウジング７７内の所定の収納スペース（図示せず）にアンテナ構造体を収納する。また、挿入孔８０に集磁シート７９の端部７９ａを挿入する。挿入孔８０からハウジング７７内に挿入された集磁シート７９の端部７９ａは、接着部材８１を介してコア７２と接着され、これによって、コア７８と集磁シート７９の端部７９ａとが接触し磁気的に結合される。そして、この集磁シート７９及びコア７８により標準電波を受信すると、この電波に基づいて時刻情報が取得され、電波腕時計の現在時刻データが修正される。
【０１２０】
以上のように、本実施形態によれば、ハウジング７７の上部に配置された集磁シート７９を、ハウジング７７の内部に配置されたアンテナ構造体のコア７８の端部と接触させて磁気的に結合させるようになっている。これにより、集磁シート７９の分だけアンテナ構造体のアンテナ長を伸ばすことができるので、アンテナ構造体を狭いスペースに収めなければならない場合のように、コア７８を大きくすることができない場合でも、効率的に電波を捕らえることができ、モジュールサイズの小型化を実現しつつ、受信感度の向上を図ることができる。
また、第１の実施形態から第７の実施形態と同様に、時計ケース及び裏蓋部材をＪＩＳ６０種チタン合金で形成するとともに、時計ケースとアンテナ構造体との間の空間及び裏蓋部材とアンテナ構造体との間の空間にそれぞれ磁性シートを配置しているので、渦電流の発生を防止して、良好な受信感度を維持することができる。
【０１２１】
また、本実施形態では、接着部材８１によってコア７８と集磁シート７９とを接触させるので、簡易な手法で確実に集磁シート７９をコア７８に接触させることができ、受信感度の向上を図ることができる。
【０１２２】
なお、本発明が実施形態の範囲に限定されないことは第１の実施形態から第７の実施形態と同様である。
【０１２３】
［第９の実施形態］
次に、図１６を参照しつつ、本発明に係る電波受信装置の第９の実施形態について説明する。なお、第９の実施形態は、アンテナ構造体のコアと集磁シートとの結合構造のみが第１の実施形態から第８の実施形態と異なるものであるため、以下においては、特に第１の実施形態から第８の実施形態と異なる部分について説明する。
【０１２４】
本実施形態において、電波受信装置は図示しない電波腕時計に組み込まれており、電波腕時計は、第１の実施形態から第８の実施形態と同様に、Ti-6Al-4V合金等のＪＩＳ６０種チタン合金で形成された時計ケース（図示せず）及び裏蓋部材（図示せず）と、図示しないアンテナ構造体が収納されたハウジング８５（図１６参照）と、時計ケースとアンテナ構造体との間の空間及び裏蓋部材とアンテナ構造体との間の空間に配置された磁性シート（図示せず）とを備えている。
図１６は、ハウジング８５の一部を拡大してアンテナ構造体（図示せず）のコア８６の端部と集磁シート８７の端部８７ａとの接続部分を示した断面図である。
【０１２５】
ハウジング８５の上部であってコア８６の両端部に対応する部分には挿入孔８８が形成されている。ハウジング８５の上部には、第１の実施形態から第８の実施形態と同様、一対の集磁シート８７が配置されている。本実施形態においては、集磁シート８７はばね性を有するシートとなっており、各集磁シート８７の一方の先端部はコア８６の各端部に向けて曲折する曲折部８７ａとなっている。各集磁シート８７の曲折部８７ａはハウジング８５の挿入孔８８からハウジング８５の内部に挿入され、集磁シート８７は、それ自体の付勢力によって曲折部８７ａの先端がコア８６に接触するように構成されている。これにより、集磁シート８７とコア８６とは磁気的に結合する。
【０１２６】
なお、その他の構成は、第１の実施形態から第８の実施形態で説明したものと同様であることから、同一部材には同一の符号を付して、その説明を省略する。
【０１２７】
次に、本実施形態の作用について説明する。
【０１２８】
ハウジング８５内の所定の収納スペース（図示せず）にアンテナ構造体を収納する。また、挿入孔８８に集磁シート８７の曲折部８７ａを挿入する。挿入孔８８からハウジング８５内に挿入された集磁シート８７の曲折部８７ａの先端はコア８６と接触し磁気的に結合される。そして、この集磁シート８７及びコア８６により標準電波を受信すると、この電波に基づいて時刻情報が取得され、電波腕時計の現在時刻データが修正される。
【０１２９】
以上のように、本実施形態によれば、ハウジング８５の上部に配置された集磁シート８７を、ハウジング８５の内部に配置されたアンテナ構造体のコア８６の端部と接触させて磁気的に結合させるようになっている。これにより、集磁シート８７の分だけアンテナ構造体のアンテナ長を伸ばすことができるので、アンテナ構造体を狭いスペースに収めなければならない場合のように、コア８６を大きくすることができない場合でも、効率的に電波を捕らえることができ、モジュールサイズの小型化を実現しつつ、受信感度の向上を図ることができる。
また、第１の実施形態から第８の実施形態と同様に、時計ケース及び裏蓋部材をＪＩＳ６０種チタン合金で形成するとともに、時計ケースとアンテナ構造体との間の空間及び裏蓋部材とアンテナ構造体との間の空間にそれぞれ磁性シートを配置しているので、渦電流の発生を防止して、良好な受信感度を維持することができる。
【０１３０】
また、本実施形態では、集磁シート８７の曲折部８７ａをコア８６と接触させ磁気的に結合させるので、部品点数を増やすことなく受信感度の向上を図ることができる。
【０１３１】
なお、本発明が実施形態の範囲に限定されないことは第１の実施形態から第８の実施形態と同様である。
【０１３２】
［第１０の実施形態］
次に、図１７を参照しつつ、本発明に係る電波受信装置の第１０の実施形態について説明する。なお、第１０の実施形態は、アンテナ構造体のコアと集磁シートとの結合構造のみが第１の実施形態から第９の実施形態と異なるものであるため、以下においては、特に第１の実施形態から第９の実施形態と異なる部分について説明する。
【０１３３】
本実施形態において、電波受信装置は図示しない電波腕時計に組み込まれており、電波腕時計は、第１の実施形態から第９の実施形態と同様に、Ti-6Al-4V合金等のＪＩＳ６０種チタン合金で形成された時計ケース（図示せず）及び裏蓋部材（図示せず）と、図示しないアンテナ構造体が収納されたハウジング９０（図１７参照）と、時計ケースとアンテナ構造体との間の空間及び裏蓋部材とアンテナ構造体との間の空間に配置された磁性シート（図示せず）とを備えている。図１７は、ハウジング９０の一部を拡大してアンテナ構造体（図示せず）のコア９１の端部と集磁シート９２の端部との接続部分を示した断面図である。
【０１３４】
ハウジング９０の上部であってコア９１の両端部に対応する部分には挿入孔９３が形成されている。ハウジング９０の上部には、第１の実施形態から第９の実施形態と同様、一対の集磁シート９２が配置されている。また、コア９１の両端部には集磁シート９２に向けて延出する延出部９１ａが設けられており、延出部９１ａは挿入孔９３に挿入されて集磁シート９２の一端部に接触するように構成されている。これにより、集磁シート９２とコア９１とは磁気的に結合する。
なお、延出部９１ａの形成の手法は、特に限定されず、例えばコア９１がアモルファス金属等の薄い板状部材を積層して形成されている場合には、そのうちの１枚又は数枚を集磁シート９２に向けて延出するように構成してもよい。また、例えばコア９１がフェライト等により一体形成されている場合には、延出部９１ａを有するように成型する。
【０１３５】
なお、その他の構成は、第１の実施形態から第９の実施形態で説明したものと同様であることから、同一部材には同一の符号を付して、その説明を省略する。
【０１３６】
次に、本実施形態の作用について説明する。
【０１３７】
ハウジング９０内の所定の収納スペース（図示せず）にアンテナ構造体を収納する。また、挿入孔９３にコア９１の延出部９１ａを挿入する。挿入孔９３から挿入された延出部９１ａは集磁シート９２と接触し磁気的に結合される。そして、この集磁シート９２及びコア９１により標準電波を受信すると、この電波に基づいて時刻情報が取得され、電波腕時計の現在時刻データが修正される。
【０１３８】
以上のように、本実施形態によれば、ハウジング９０の上部に配置された集磁シート９２を、ハウジング９０の内部に配置されたアンテナ構造体のコア９１の端部と接触させて磁気的に結合させるようになっている。これにより、集磁シート９２の分だけアンテナ構造体のアンテナ長を伸ばすことができるので、アンテナ構造体を狭いスペースに収めなければならない場合のように、コア９１を大きくすることができない場合でも、効率的に電波を捕らえることができ、モジュールサイズの小型化を実現しつつ、受信感度の向上を図ることができる。
また、第１の実施形態から第９の実施形態と同様に、時計ケース及び裏蓋部材をＪＩＳ６０種チタン合金で形成するとともに、時計ケースとアンテナ構造体との間の空間及び裏蓋部材とアンテナ構造体との間の空間にそれぞれ磁性シートを配置しているので、渦電流の発生を防止して、良好な受信感度を維持することができる。
【０１３９】
また、本実施形態では、コア９１の延出部９１ａを集磁シート９２と接触させ磁気的に結合させるので、部品点数を増やすことなく受信感度の向上を図ることができる。
【０１４０】
なお、本発明が実施形態の範囲に限定されないことは第１の実施形態から第９の実施形態と同様である。
【０１４１】
なお、上記の各実施形態では、集磁部材として集磁シートを設け、磁性部材として磁性シートを設けるものとしたが、集磁部材及び磁性部材はシート状のものに限定されない。
【０１４２】
また、上記の各実施形態では、時計ケースとアンテナ構造体との間の空間及び裏蓋部材とアンテナ構造体との間の空間にそれぞれ磁性部材としての磁性シートを配置したが、磁性部材は、時計ケースとアンテナ構造体との間の空間又は裏蓋部材とアンテナ構造体との間の空間の一方のみに配置されていてもよい。
【０１４３】
また、集磁部材及び磁性部材の形状や設ける位置等は、実施形態で例示したものに限定されない。
例えば、上記各実施形態では、磁性部材としての磁性シートを時計ケースの内壁であって、ハウジングの収納スペースに対向する部分と、裏蓋部材の内側の面であって、ハウジングの収納スペースに対向する部分とに設ける場合を例としたが、磁性部材を設ける位置は、金属製の部材とアンテナ構造体との間の空間であればよく、磁性部材（磁性シート）を設ける位置はこれに限定されない。例えば、ハウジングの外周面や、収納スペースの内壁等に磁性部材（磁性シート）を設けてもよい。
【０１４４】
また、アンテナ構造体のコアと集磁シートとを接触可能とするためにハウジングに挿入孔又は貫通孔を設ける構成としたが、アンテナ構造体のコアと集磁シートとが接触可能になっていればよく、例えば、ハウジングの上部の一部を切り欠いてもよい。
【０１４５】
また、上記の各実施形態では、ハウジングの上部に歯車を押える歯車押え板を配置し、集磁シートを、この歯車押え板の厚みと同じかこれよりも薄く形成することにより、ハウジングの上部にもともと存するスペースを集磁シートの配置空間として利用し、集磁シートを配置することによるハウジングの厚みの増加をなくすように構成したが、ハウジングの厚みの増加をなくす手法はこれに限定されない。例えば、ハウジングの上部を一部削ることにより集磁シートを配置する空間を確保してもよい。
【０１４６】
また、ハウジング等を形成する合成樹脂としては、例えば、エポキシ樹脂、フェノール樹脂、メラミン樹脂、ユリア樹脂、不飽和ポリエステル樹脂、ポリイミド樹脂、フラン樹脂、ポリブタジエン樹脂、アイオノマー樹脂、EEA 樹脂、AAS 樹脂（ASA 樹脂）、AS樹脂、ACS 樹脂、エチレン酢ビコポリマー、エチレンビニルアルコール共重合樹脂、ABS 樹脂、塩化ビニル樹脂、塩素化ポリエチレン樹脂、酢酸繊維素樹脂、フッ素樹脂、ポリアセタール樹脂、ポリアミド樹脂6,66、ポリアミド樹脂11,12 、ポリアリレート樹脂、熱可塑性ポリウレタンエラストマー、液晶ポリマー、ポリエーテルエーテルケトン、ポリサルフォン樹脂、ポリエーテルサルフォン樹脂、高密度ポリエチレン、低密度ポリエチレン、直鎖状低密度ポリエチレン、ポリエチレンテレフタレート、ポリカーボネート樹脂、ポリスチレン樹脂、ポリフェニレンエーテル樹脂、ポリフェニレンサルファイド樹脂、ポリブタジエン樹脂、ポリプロピレン樹脂、ポリプロピレン樹脂、メタクリル樹脂、メチルペンテンポリマー等の樹脂等を用いても良く、これらの中でも耐熱性、寸法安定性、強度等の点からフェノール樹脂、エポキシ樹脂等が好ましい。
【０１４７】
また、上記実施形態では、電子機器として、電波腕時計１００を例示したが、これに限られるものではなく、アンテナ構造体１５により電波を受信する構成のものであれば如何なるものであっても良い。例えば、固定式の電波時計であっても良いし、小型ラジオ等であっても良い。
【図面の簡単な説明】
【０１４８】
【図１】本発明を適用した実施形態１の電子機器の好適な一例として例示する電波腕時計を示す正面図である。
【図２】図１の電波腕時計のII−II線断面図である。
【図３】図１の電波腕時計に備わる集磁シート取付構造を示す平面図である。
【図４】図１の電波腕時計に備わる集磁シート取付構造を模式的に示した斜視図である。
【図５】チタン合金とＳＵＳとの特性の違いを示した表である。
【図６】第１の実施形態におけるアンテナ構造体のコアと集磁シートとの接続部分を示した断面図である。
【図７】第１の実施形態における電波腕時計の制御構成を示すブロック図である。
【図８】集磁シート、磁性シートの有無や時計ケース、裏蓋部材の材料の組合せを変えた場合の受信感度の違いを示した表である。
【図９】第２の実施形態におけるアンテナ構造体のコアと集磁シートとの接続部分を示した断面図である。
【図１０】第３の実施形態におけるアンテナ構造体のコアと集磁シートとの接続部分を示した断面図である。
【図１１】第４の実施形態におけるアンテナ構造体のコアと集磁シートとの接続部分を示した断面図である。
【図１２】第５の実施形態におけるアンテナ構造体のコアと集磁シートとの接続部分を示した断面図である。
【図１３】第６の実施形態におけるアンテナ構造体のコアと集磁シートとの接続部分を示した断面図である。
【図１４】第７の実施形態におけるアンテナ構造体のコアと集磁シートとの接続部分を示した断面図である。
【図１５】第８の実施形態におけるアンテナ構造体のコアと集磁シートとの接続部分を示した断面図である。
【図１６】第９の実施形態におけるアンテナ構造体のコアと集磁シートとの接続部分を示した断面図である。
【図１７】第１０の実施形態におけるアンテナ構造体のコアと集磁シートとの接続部分を示した断面図である。
【符号の説明】
【０１４９】
１      電波受信装置
２      時計ケース
３      ハウジング
７      文字板
１２      ソーラーパネル
１５      アンテナ構造体
１６      収納スペース
１７      コア
１８      コイル
２４      歯車
２５      歯車押え板
２７      挿入孔
３０      集磁シート
３１      弾性部材
３３      裏蓋部材
３５      磁性シート
３６      磁性シート
１００      電波腕時計
【図１】
0004952455.tif 000002
【図２】
0004952455.tif 000003
【図３】
0004952455.tif 000004
【図４】
0004952455.tif 000005
【図５】
0004952455.tif 000006
【図６】
0004952455.tif 000007
【図７】
0004952455.tif 000008
【図８】
0004952455.tif 000009
【図９】
0004952455.tif 000010
【図１０】
0004952455.tif 000011
【図１１】
0004952455.tif 000012
【図１２】
0004952455.tif 000013
【図１３】
0004952455.tif 000014
【図１４】
0004952455.tif 000015
【図１５】
0004952455.tif 000016
【図１６】
0004952455.tif 000017
【図１７】
0004952455.tif 000018